(57)【要約】      （修正有）【解決手段】墓１の納骨室１０１の納骨壺２を収納する内面を光触媒材料よりなる光触媒層１０２で被覆し、納骨室１０１の納め口に開閉可能に配された蓋体１０３と納骨室１０１上部の墓石（台石）１０４との間に光照射装置３におけるゴム部材などよりなる挟持体３００を挟持させ、挟持体３００に支持された光照射装置における光ファイバ−束３０１の端部を、挟持体３００の配置位置を基準とした遠近両位置の納骨室１０１の内面に被覆された光触媒材料よりなる光触媒層１０２に照射できるように、納骨室１０１内部に導入してなる。【効果】外部から日が射さず真っ暗な暗室に構成されている墓の納骨室や納骨壺の汚れを防止でき、しかも、光ファイバ−による紫外線の照射が効果的に行われ、光触媒材料による光触媒反応機能を効果的に奏することができるので、納骨室や納骨壺の汚れをより効果的に防止でき、工事が簡略化できる。【選択図】図１
0003138976.tif 000002
【実用新案登録請求の範囲】
【請求項１】
墓の納骨室において、当該納骨室の納骨壺を収納する内面を光触媒材料よりなる光触媒層で被覆し、当該納骨室の納め口に開閉可能に配された蓋体と当該納骨室上部の墓石との間に光照射装置におけるゴム部材などよりなる挟持体を挟持させ、当該挟持体に支持された当該光照射装置における光ファイバ−束の端部を、当該挟持体の配置位置を基準とした遠近両位置の当該納骨室の内面に被覆された光触媒材料よりなる光触媒層に照射できるように、当該納骨室内部に導入してなることを特徴とする墓の納骨室。
【請求項２】
納骨室に収納された納骨壺にも光ファイバ−束の端部からの光が照射できるようにしてなることを特徴とする、請求項１に記載の墓の納骨室。
【請求項３】
納骨室に収納された納骨壺の少なくとも外面に光触媒材料よりなる光触媒層を被覆し、当該光触媒層が被覆された当該納骨壺にも光ファイバ−束の端部からの光が照射できるようにしてなることを特徴とする、請求項１又は２に記載の墓の納骨室。
【請求項４】
挟持体が耐振性ゴム部材よりなることを特徴とする、請求項１、２又は３に記載の墓の納骨室。
【請求項５】
光ファイバ−束の端部に発光ダイオ−ドなどの発光素子を取付けて光を照射するようにしてなることを特徴とする、請求項１、２，３又は４に記載の墓の納骨室。
【考案の詳細な説明】
【技術分野】
【０００１】
本考案は、墓の納骨室に関し、特に、光触媒により納骨室の汚染が防止され、又、当該納骨室に収納される納骨壺（骨壺）の汚染も防止され、就中、光ファイバ−による光触媒への光照射が大掛かりな工事を要せずに且つ効率的に行われるようにしてなる墓の納骨室に関するものである。
【背景技術】
【０００２】
霊園などに設置される墓における納骨室は、例えば、図６に示すように、石碑、墓石等の墓標６０１の下方に、複数の台石６０２を積み重ねて、その内部に納骨壺などを載置する収納空間６０３を設けるように形成される。当該納骨室の上部は、蓋体６０４で覆われた出入口となっていて、前記の収納空間６０３で納骨若しくは散骨作業を行う場合には、当該蓋板６０４を外して、当該作業を行うようになっている。
出入口を除く納骨室の残りの上部には、基礎となる台石６０５が配置され、当該台石６０５上に石碑、墓石等の墓標６０１が配置される。当該納骨室は、一般に、完全に土中や半地下に形成される。
当該納骨室は、一般的に外部から日が射さず真っ暗な暗室に構成され、湿気やカビ類が発生し易く、当該納骨室の内壁面に汚れを生じ易く、当該納骨室の内部に収納された骨壺にも汚れを生じ易いという問題がある。
当該納骨室の暗さの解消のために、竿石から上石及び中石を経由して当該納骨室に至る間の上下方向に、採光穴（貫通穴）を設けて、当該納骨室に採光を取り込むようにした墓石（特開２００６−００２５５７号公報）とか、光ファイバ−による採光装置を備えた墓（実開昭６１−１２３１５９号公報）とか、納骨室を地下から地上に設置するようにし、且つ、当該納骨室を構成する石材などに穴を開けそこにガラスをはめ込み太陽光を採り入れるようにした納骨室（特開２００２−１０６２０９号公報）等が提案されているが、竿石から上石及び中石を経由して納骨室にまで至る採光穴（貫通穴）を設けて当該納骨室に採光を取り込むようにした墓石では、その採光穴（貫通穴）の穴開け作業が大変で、しかも、納骨室の暗さの解消に役立つだけで、納骨室における湿気やカビ類の発生による当該納骨室の内壁面の汚れや当該納骨室の内部に収納された骨壺の汚れの除去という問題に対しては不十分である。
又、光ファイバ−による採光装置を備えた墓では、納骨室内の骨壺の存在確認や当該採光による蟻や虫類による巣作りを防止してその糞や残骸付着等による汚れを軽減できるが、当該採光を採り入れるだけでは充分にその汚れ防止には寄与出来難い。
更に、納骨室を地下から地上に移し、納骨室を構成する石材に穴を開けてそこにガラス窓をはめ込み太陽光を採り入れるようにした納骨室では、納骨室が地下にある場合には適用できず、又、石材に穴を開けてそこにガラス窓をはめ込みする作業は手数が掛かる等の問題がある。
一方、石材に光触媒をコ−ティングして当該光触媒の作用により当該石材の汚れを防止する技術（特開２００２−３３８３７４号公報）や、炭素ド−プされた酸化チタン又はチタン合金酸化物からなる機能層を宗教用品の表面に被覆する技術（特開２００６−２３０９２６号公報）や光触媒体を張着した棺（実用新案登録３１１２２８６号公報）や二酸化チタンを含有する被膜を墓地に施して植物の生育を抑制する技術（特開平８−３１９２０５号公報）や棺桶用冷却装置に酸化チタンからなる光触媒を設けて冷却と共に防汚を行う技術（特開２００４−１０５２５４号公報）や墓用線香立てに光触媒をコ−トしてヤニなどの付着を軽減する技術（特開２００６−１６１４２４号公報）などが各種提案されている。
しかし、これら技術は、具体的に、納骨室や骨壺の汚染防止技術を開示するものではないし、単に、光触媒をコ−ティングして当該光触媒の作用により石材等の汚れを防止する技術を開示するもので、納骨室のような光の当たらない暗部において如何にして効率的に当該光触媒の機能を高め得るかについて開示するものではないし、又、当該納骨室では、そこに収納される骨壺も汚染を受けるがそのような収納場所において如何にして当該光触媒の機能を高め得るかについて開示するものではない。
【特許文献１】特開２００６−００２５５７号公報、実開昭６１−１２３１５９号公報、特開２００２−１０６２０９号公報、特開２００２−３３８３７４号公報、特開２００６−２３０９２６号公報、実用新案登録３１１２２８６号公報、特開平８−３１９２０５号公報、特開２００４−１０５２５４号公報、特開２００６−１６１４２４号公報
【考案の開示】
【考案が解決しようとする課題】
【０００３】
本考案は、上記のような従来技術の欠点を解消できる技術を提供することを目的としたものである。
本考案の他の目的および新規な特徴は以下の明細書及び図面の記載からも明らかになるであろう。
【課題を解決するための手段】
【０００４】
本考案の実用新案登録請求の範囲は、次の通りである。
（請求項１）  墓の納骨室において、当該納骨室の納骨壺を収納する内面を光触媒材料よりなる光触媒層で被覆し、当該納骨室の納め口に開閉可能に配された蓋体と当該納骨室上部の墓石との間に光照射装置におけるゴム部材などよりなる挟持体を挟持させ、当該挟持体に支持された当該光照射装置における光ファイバ−束の端部を、当該挟持体の配置位置を基準とした遠近両位置の当該納骨室の内面に被覆された光触媒材料よりなる光触媒層に照射できるように、当該納骨室内部に導入してなることを特徴とする墓の納骨室。
（請求項２）  納骨室に収納された納骨壺にも光ファイバ−束の端部からの光が照射できるようにしてなることを特徴とする、請求項１に記載の墓の納骨室。
（請求項３）納骨室に収納された納骨壺の少なくとも外面に光触媒材料よりなる光触媒層を被覆し、当該光触媒層が被覆された当該納骨壺にも光ファイバ−束の端部からの光が照射できるようにしてなることを特徴とする、請求項１又は２に記載の墓の納骨室。
（請求項４）  挟持体が耐振性ゴム部材よりなることを特徴とする、請求項１、２又は３に記載の墓の納骨室。
（請求項５）  光ファイバ−束の端部に発光ダイオ−ドなどの発光素子を取付けて光を照射するようにしてなることを特徴とする、請求項１、２，３又は４に記載の墓の納骨室。
【考案の効果】
【０００５】
本願において開示される考案のうち代表的なものによって得られる効果を簡単に説明すれば、下記のとおりである。
すなわち、本考案によれば、次のような利点がある。
（請求項１）墓の納骨室において、当該納骨室の納骨壺を収納する内面を光触媒材料よりなる光触媒層で被覆することにより、当該納骨室は汚れを防止できるが、当該光触媒材料が上記光触媒反応機能を奏する為には、紫外線の存在が必要で、当該納骨室は、一般的に外部から日が射さず真っ暗な暗室に構成されているので、その汚れを防止しその機能を効果的に奏するする為には、単に、内壁面を光触媒材料よりなる光触媒層で被覆するだけでは足らず、紫外線の存在が必要である。
本考案では、光照射装置により、その光ファイバ−による光伝送路からの光（紫外線）が当該納骨室の内面に被覆された光触媒材料よりなる光触媒層に照射されるので、暗室に構成された納骨室でも汚れを防止でき、又、当該光触媒反応の機能を奏させることができる。
しかも、当該光照射装置における挟持体を、当該納骨室の納め口に開閉可能に配された蓋体と当該納骨室上部の墓石との間に挟持させればよいので、墓石に採光穴のような穴開け作業が必要なく、又、石材に穴を開けてそこにガラス窓をはめ込みするような手数が掛かる作業は必要としない。又、当該光照射装置における当該挟持体に支持された光ファイバ−束の端部を当該挟持体の配置位置を基準とした遠近両位置の当該納骨室の内面に被覆された光触媒材料よりなる光触媒層に照射できるように当該納骨室内部に導入してなるので、光を効率的に当該納骨室の内面に被覆された光触媒材料よりなる光触媒層に照射できる。
（請求項２）  納骨室に収納された納骨壺にも光ファイバ−束の端部からの光が照射できるようにしてなるので、納骨室の汚れを防止できると共に、そこに収納された納骨壺の汚れの軽減でき、又、納骨壺を良好に視認できる。
（請求項３）納骨室に収納された納骨壺の少なくとも外面に光触媒材料よりなる光触媒層を被覆して当該光触媒層が被覆された当該納骨壺にも光ファイバ−束の端部からの光が照射できるようにすることにより、より一層納骨壺の汚れの軽減できる。
（請求項４）  挟持体を耐振性ゴム部材により構成することにより、上記の汚染防止性の他に耐振性をも備えた墓を実現できる。
（請求項５）  光ファイバ−束の端部に発光ダイオ−ドなどの発光素子を取付けて光を照射するようにすれば、光ファイバ−による光伝送路からの光（紫外線）に加えて発光ダイオ−ドなどの発光素子からの発光が納骨室や納骨壺に被覆された光触媒材料よりなる光触媒層に照射されるので、より一層納骨室や納骨壺の汚れを軽減できる。
【０００６】
次に、本考案の実施例を図面を参照しつつ説明する。
【実施例】
【０００７】
図１に示すように、墓１の納骨室１０１の納骨壺２を収納する内壁面を、光触媒材料よりなる光触媒層１０２で被覆する。
当該光触媒層１０２を構成する当該光触媒材料としては、例えば、酸化チタン、酸化錫、酸化錫−酸化アンチモンが例示できる。
当該酸化チタンの代表例としては、二酸化チタン（ＴｉＯ２）が挙げられ、光触媒反応機能を奏する二酸化チタン（ＴｉＯ２）であって、紫外線によりマイナスの電子とプラスの正孔とに分離し、当該生成された正孔が空気中の酸素を活性酸素（Ｏ）に変換し、当該活性酸素が難分解性の化学物質や有機物などを二酸化炭素ＣＯ２と水素Ｈ２とに分解する酸化チタンが選択される。酸化錫、酸化アンチモンについても同様のものが選択される。
従って、墓１の納骨室１０１の納骨壺２を収納する内壁面を光触媒材料よりなる光触媒層１０２で被覆すれば、光触媒反応機能により内壁面の汚れを防止できるが、上記のように、光触媒材料が上記光触媒反応機能を奏する為には、紫外線（波長が４００ｎｍ以下とされている）の存在が必要である。
即ち、当該納骨室１０１は、一般的に外部から日が射さず真っ暗な暗室に構成されていて、湿気やカビ類の発生によりその内壁面に汚れを生じるので、それを防止する為に内壁面を光触媒材料よりなる光触媒層１０２で被覆しても、その機能を奏する為には、紫外線の存在が必要であって、しかも、前述し又後述するように、墓の工事の作業性の良さは勿論、紫外線が効率的に当たるような環境の形成が必要である。
上記光触媒層１０２は、上記の光触媒材料の他に、バインダ−や溶媒などを含有する。
必要に応じて遷移金属などの抗カビ抗菌剤などを添加してもよい。
当該バインダ−としては、シリケ−ト化合物などが例示できる。溶媒として、水を使用してもよい。
当該光触媒材料よりなる光触媒層１０２は、例えば、上記のような光触媒材料やバインダ−や溶媒などをミキシングして、コ−ティング液として、墓１の納骨室１０１の納骨壺２を収納する内壁面にコ−ティングすることにより形成できる。
板状の石材の表面に当該コ−ティング液をコ−ティングしたものを、納骨室１０１の内壁面に貼合せて、当該内壁面を光触媒材料よりなる光触媒層１０２で被覆した状態としてもよい。
【０００８】
図１に示すように、墓１の納骨室１０１に収納する納骨壺２も、光触媒材料よりなる光触媒層１０２で被覆する。
当該光触媒材料よりなる光触媒層１０２は、上記の納骨室１０１に被覆する光触媒層１０２と同様の構成からなっていればよく、同様に酸化チタン、酸化錫、酸化錫−酸化アンチモン等が光触媒材料として使用でき、又、バインダ−や溶媒などを含有し、必要に応じて遷移金属などの抗カビ抗菌剤などを添加してなるコ−ティング液を、当該納骨壺２の外面にコ−ティングすることにより形成できる。当該納骨壺２の内面にコ−ティングしてもよい。当該納骨壺２の蓋体外面及び（又は）内面にもコ−ティングしてもよい。
【０００９】
図１に示すように、当該納骨室１０１の納め口に開閉可能に配された蓋体１０３と当該納骨室１０１の上部の墓石１０４との間に、光照射装置３のゴム部材などよりなる挟持体３００を挟持させ、当該挟持体３００に支持された光ファイバ−束３０１の端部を、当該挟持体３００の配置位置を基準とした遠近両位置の当該納骨室１０１の内面に被覆された光触媒材料よりなる光触媒層１０２に照射できるように、当該納骨室１０１の内部に導入する。
当該納骨室１０１の収納空間１０５に収納された納骨壺２にも光ファイバ−束３０１の端部からの光が照射できるようにする。
当該納骨壺２は、当該納骨室１０１の納骨棚１０６に載置されている。当該納骨壺２は、地面上に安置されていてもよい。
当該納骨室１０１の内面と同様に、当該納骨壺２の外面に被覆された光触媒材料よりなる光触媒層１０２にも光が照射できるように、当該挟持体３００の配置位置を基準として、光ファイバ−束３０１の端部を当該納骨室１０１の内部に導入する。
【００１０】
上記の挟持体３００は、例えば、ゴム部材よりなる。例えば、挟持体３００は、板状に形成される。例えば、長方形の板状体に構成される。
当該挟持体３００は、当該納骨室１０１の納め口に開閉可能に配された蓋体１０３と当該納骨室１０１の上部の墓石（台石）１０４との間に挟持させる。
これにより、墓石への穴加工などを必要とせずに光照射が可能となる。
当該挟持体３００を耐振性ゴム部材により形成すると、光触媒・光照射による汚染防止性の他に耐振性をも備えることができる。
【００１１】
図２及び図３に示すように、当該挟持体１０６に支持された光ファイバ−束３０１の端部が、当該挟持体１０６の配置位置を基準とした遠近両位置の当該納骨室１０１の内面に被覆された光触媒材料よりなる光触媒層１０３に照射できるように、当該納骨室１０１の内部に導入する為に、当該光ファイバ−束３０１に例えば長短を付け、短い当該光ファイバ−束３０１Ａとそれよりも長い当該光ファイバ−束３０１Ｂとで当該光ファイバ−束１０７を構成する。短い当該光ファイバ−束３０１Ａは、当該挟持体１０６の配置位置から近い位置を照射し、一方、それよりも長い当該光ファイバ−束３０１Ｂは、当該挟持体１０６の配置位置から遠い位置を照射して、効率的に紫外線を照射できる。又、当該光照射装置の設置も楽になる。
【００１２】
図４に示すように、光照射装置３における当該光ファイバ−束３０１は、当該挟持体３００中を敷設され、当該光ファイバ−束３０１の基端部３０２で束ねられ、当該基端部３０２側には、光源３０３が配置される。当該光源（集光部）３０３からの光は、当該光ファイバ−束３０１の端部（散光部）から放出される。
当該光ファイバ−束３０１は、多数本の光ファイバ−単線を一本に集束してなる。
当該光ファイバ−束３０１は、石英、ガラス、プラスチックスなどの誘電体で構成された極めて細い繊維状の光の伝送路の上記束に構成されている。
光源３０３としては、半導体レ−ザ等が使用できるが、集光レンズなどで太陽光を採り入れるようにすることが省エネなどの観点から好ましい。太陽電池で日中太陽光を採り入れ、電気に変換して蓄電しておき、半導体レ−ザ等で光を発生させるようにしておくとよい。電池、バッテリ−なども使用できる。
【００１３】
図５（Ａ）及び（Ｂ）に示すように、当該挟持体３００や光ファイバ−束３０１は、当該納骨室１０１の納め口に開閉可能に配された蓋体１０３と当該納骨室１０１の上部の台石１０４との間に挟持させ、当該挟持体３００に支持された光ファイバ−束３０１の端部を、効率的に当該納骨室１０１の内面や納骨壺２の外面に被覆された光触媒材料よりなる光触媒層１０２に照射できるようにするが、光照射装置３における当該挟持体３００の向きを変更して、当該納骨室１０１の納め口に開閉可能に配された蓋体１０３と当該納骨室１０１の上部の台石１０４との間に挟持させ、当該挟持体３００に支持された光ファイバ−束３０１の端部を、当該納骨室１０１の内面や納骨壺２の外面に被覆された光触媒材料よりなる光触媒層１０２に効率的に照射できるようにすることができる。その他、基端部３０２や光源３０３の配置位置などを適宜変更できる。
【００１４】
本考案では、光ファイバ−束の端部に発光ダイオ−ド（ＬＥＤ）などの発光素子を取付けて光を照射するようにしてもよく、光ファイバ−束の端部からの光照射に加えて、発光ダイオ−ド（ＬＥＤ）などの発光素子からも光を照射でき、より一層効果的に光照射を実現できる。
【００１５】
本考案は上記実施例に限定されず、適宜変更が可能である。
例えば、台石は例で、他の墓石でもよいし、又、納骨室１０１に反射レンズを設置して、光ファイバ−束３０１の散光部からの光を当該納骨室１０１内部に反射させて効率的な光照射を行うようにしてもよい。又、増幅器を設置して光を増幅するようにしてもよい。
【産業上の利用可能性】
【００１６】
本考案は、各種の場合に適用できる。
【図面の簡単な説明】
【００１７】
【図１】本考案の実施例を示す墓の納骨室の一例構成図である。
【図２】本考案の実施例を示す光照射装置の要部一例平面図である。
【図３】本考案の実施例を示す光照射装置の要部一例側面図である。
【図４】本考案の実施例を示す光照射装置の一例構成図である。
【図５】（Ａ）（Ｂ）各々本考案の他の実施例を示す光照射装置の要部一例断面図である。
【図６】墓の一例構成図である。
【符号の説明】
【００１８】
１…墓
２…納骨壺
３…光照射装置
１０１…納骨室
１０２…光触媒材料よりなる光触媒層
１０３…蓋体
１０４…墓石（台石）
３００…挟持体
３０１…光ファイバ−束
【図１】
0003138976.tif 000003
【図２】
0003138976.tif 000004
【図３】
0003138976.tif 000005
【図４】
0003138976.tif 000006
【図５】
0003138976.tif 000007
【図６】
0003138976.tif 000008